(57)【要約】【課題】データのたまり具合を明確に把握することができ、無線通信であっても操作性を損ねることがない電子ペン、及びこれを用いた表示システムを提供する。【解決手段】第１の表示装置との間で無線通信を行って画像データを受信するための無線通信回路と、画像データを記憶するための記憶手段と、第１の表示部と、ペン操作により指定された画像データを、無線通信回路を通じて第１の表示装置から受信して記憶手段に記憶させるとともに、第１の表示部に画像データの取り込み度合いを示す表示を行わせるように制御を行う制御部と、を備えた電子ペン。【選択図】図２
2007299134.tif 000002
【特許請求の範囲】
【請求項１】
第１の表示装置の画面に表示されている画像を、ユーザーのペン操作によって取り込むための電子ペンであって、
前記第１の表示装置との間で無線通信を行って画像データを受信するための無線通信回路と、
画像データを記憶するための記憶手段と、
第１の表示部と、
ペン操作により指定された画像データを、前記無線通信回路を通じて前記第１の表示装置から受信して前記記憶手段に記憶させるとともに、前記第１の表示部に画像データの取り込み度合いを示す表示を行わせるように制御を行う制御部と、
を備えたことを特徴とする電子ペン。
【請求項２】
前記記憶手段は、複数画像データの記憶領域を有することを特徴とする請求項１に記載の電子ペン。
【請求項３】
前記制御部は、前記無線通信回路を通じて前記記憶手段に記憶された画像データを第２の表示装置へ送信し、ペン操作により指定された第２の表示装置の画面上の位置に表示させるように制御を行うとともに、前記第１の表示部に画像データの吐き出し度合いを示す表示を行わせるように制御を行うことを特徴とする請求項１又は２に記載の電子ペン。
【請求項４】
画像データ取り込み及び画像データ吐き出しの少なくとも一方の動作の進行段階を示すための第２の表示部を有することを特徴とする請求項３に記載の電子ペン。
【請求項５】
ユーザーが操作するための操作部を有することを特徴とする請求項１乃至４の何れか１項に記載の電子ペン。
【請求項６】
前記制御部は、画像データ取り込みから画像データ吐き出しの一連の動作における各段階のうち、少なくとも最後の動作を行う前の段階における状態を記憶しておき、ユーザーからの指示により、１段前の状態に復帰するように制御を行うことを特徴とする請求項１乃至５の何れか１項に記載の電子ペン。
【請求項７】
請求項１に記載の電子ペンと、表示デバイスとを含み、該表示デバイスは前記電子ペンと無線通信して画像データを送信するための無線通信回路を有することを特徴とする表示システム。
【請求項８】
前記表示デバイスはメモリ性を有するものであることを特徴とする請求項７に記載の表示システム。
【請求項９】
前記表示デバイスは、電子ペンによって指定される電子ペンへの取り込み対象領域を示す表示を行うことを特徴とする請求項７又は８に記載の表示システム。
【請求項１０】
請求項３又は４に記載の電子ペンと、該電子ペンと無線通信するための無線通信回路を備えた第１及び第２の表示デバイスとを含み、前記電子ペンの制御部は、画像データ取り込みから画像データ吐き出しの一連の動作における各段階のうち、少なくとも最後の動作を行う前の段階における状態を記憶しておき、ユーザーからの指示により、電子ペンと第１及び第２の表示装置が１段前の状態に復帰するように制御を行うことを特徴とする請求項７乃至９の何れか１項に記載の表示システム。
【発明の詳細な説明】
【技術分野】
【０００１】
本発明は、表示デバイスに表示されている画像の画像データを取り込み可能な電子ペン、及び、これを用いた表示システムに関する。
【背景技術】
【０００２】
近年、画像データのデジタル化が進み、デジタル化された画像データを手軽にコピーしたり、スクラップしたりすることが求められている。その一つとして、表示デバイスに表示されている画像の画像データを電子ペンに取り込むことが提案されている。例えば、特許文献１には、第１の表示装置のペンアダプタに電子ペンを差し込むことで、ペン内の記憶装置にデータを書き込み、第２の表示装置のペンアダプタに電子ペンを差し込むことで、ペン内の記憶装置に書きこまれたデータを読み出し、第２の表示装置に書き込むことが開示されている。また、特許文献２には、無線通信を用いた電子ペンによるデータの取り込みと貼り付けが開示されている。
【特許文献１】特開平５−１８１５８２（日立製作所）
【特許文献２】特開平６−２８２３７５（カシオ計算機）
【発明の開示】
【発明が解決しようとする課題】
【０００３】
しかしながら、電子ペンを用いた画像データのコピーやスクラップというのは、まだ一般的でなく、特に操作性という観点では十分な検討がなされていないのが実情である。
【０００４】
例えば、上記特許文献１に記載されるものでは、電子ペンへのデータ書き込みと電子ペンからのデータ読み出しを行う度に、電子ペンを表示装置のペンアダプタに差し込まねばならず、非常に使い勝手が悪いという問題がある。
【０００５】
また、上記特許文献２には、無線タイプの電子ペンが記載されており、使い勝手はやや向上しているものの、無線通信を行う場合につきものの通信状態の確立や通信異常等について考慮されておらず、電子ペンへのデータ取り込みを失敗してしまう恐れがある。また、特許文献２では、表示デバイスがメモリ性を有し待機時にはスリープ状態にあるようなものからデータをコピーすることは何ら考慮されていなかった。
【０００６】
このように、電子ペンに画像データを取り込み、取り込んだデータを別の表示装置に書き出すということは知られていたが、電子ペンが無線である場合に、通信の確立やデータの送受信完了までに時間を要し、意図せず通信が遮断されたりしてデータの取り込みや貼り付けを失敗する虞れがあることは考慮されていないのが実情であった。
【０００７】
このような問題に鑑みて、本発明は、データのたまり具合を明確に把握することができ、無線通信であっても操作性を損ねることがない電子ペン、及びこれを用いた表示システムを提供することを課題とする。
【課題を解決するための手段】
【０００８】
上記の本発明の目的は以下の手段によって達成することが出来る。
１．
第１の表示装置の画面に表示されている画像を、ユーザーのペン操作によって取り込むための電子ペンであって、
前記第１の表示装置との間で無線通信を行って画像データを受信するための無線通信回路と、
画像データを記憶するための記憶手段と、
第１の表示部と、
ペン操作により指定された画像データを、前記無線通信回路を通じて前記第１の表示装置から受信して前記記憶手段に記憶させるとともに、前記第１の表示部に画像データの取り込み度合いを示す表示を行わせるように制御を行う制御部と、
を備えたことを特徴とする電子ペン。
２．
前記記憶手段は、複数画像データの記憶領域を有することを特徴とする１に記載の電子ペン。
３．
前記制御部は、前記無線通信回路を通じて前記記憶手段に記憶された画像データを第２の表示装置へ送信し、ペン操作により指定された第２の表示装置の画面上の位置に表示させるように制御を行うとともに、前記第１の表示部に画像データの吐き出し度合いを示す表示を行わせるように制御を行うことを特徴とする１又は２に記載の電子ペン。
４．
画像データ取り込み及び画像データ吐き出しの少なくとも一方の動作の進行段階を示すための第２の表示部を有することを特徴とする３に記載の電子ペン。
５．
ユーザーが操作するための操作部を有することを特徴とする１乃至４の何れか１項に記載の電子ペン。
６．
前記制御部は、画像データ取り込みから画像データ吐き出しの一連の動作における各段階のうち、少なくとも最後の動作を行う前の段階における状態を記憶しておき、ユーザーからの指示により、１段前の状態に復帰するように制御を行うことを特徴とする１乃至５の何れか１項に記載の電子ペン。
７．
１に記載の電子ペンと、表示デバイスとを含み、該表示デバイスは前記電子ペンと無線通信して画像データを送信するための無線通信回路を有することを特徴とする表示システム。
８．
前記表示デバイスはメモリ性を有するものであることを特徴とする７に記載の表示システム。
９．
前記表示デバイスは、電子ペンによって指定される電子ペンへの取り込み対象領域を示す表示を行うことを特徴とする７又は８に記載の表示システム。
１０．
３又は４に記載の電子ペンと、該電子ペンと無線通信するための無線通信回路を備えた第１及び第２の表示デバイスとを含み、前記電子ペンの制御部は、画像データ取り込みから画像データ吐き出しの一連の動作における各段階のうち、少なくとも最後の動作を行う前の段階における状態を記憶しておき、ユーザーからの指示により、電子ペンと第１及び第２の表示装置が１段前の状態に復帰するように制御を行うことを特徴とする７乃至９の何れか１項に記載の表示システム。
【発明の効果】
【０００９】
本発明の電子ペンによれば、データのたまり具合を明確に把握することができ、無線通信であっても操作性を損ねることがない。また、メモリ性の表示デバイスであっても、リアルタイムにデータのたまり具合を確認できる。
【発明を実施するための最良の形態】
【００１０】
以下、本発明の電子ペン及びこれを用いた表示システムの実施形態について説明する。
【実施例】
【００１１】
〔実施例１〕
＜表示システム＞
本発明の実施例１は、メモリ性を有する表示デバイスである電子ペーパをコピー元の表示装置として、この表示デバイスから画像データを電子ペンに吸い取り、吸い取られたデータを電子ペンから吐き出して、貼り付け先表示装置としての第２の電子ペーパに貼り付ける表示システムである。
【００１２】
実施例１の表示システムは、電子ペンと少なくとも一つの表示装置から構成される。典型的な例として、図１に示すように、可撓性を有するシート状の表示部を複数枚綴じたタイプのマガジン型表示装置１と、マガジン型表示装置１より小型でシステム手帳のような外観を有する手帳型表示装置２と、手帳型表示装置２よりも小型で表示部を引き出すことのできるモバイル表示装置３と、から構成される。３つの表示装置はいずれもメモリ性を有する表示パネルを採用しており、特に、マガジン型表示装置１及びモバイル表示装置２は、樹脂基板を採用したフレキシブルな表示素子を採用している。
【００１３】
本表示システムにおいては、定期的にマガジン型表示装置１に雑誌、週刊誌、新聞等の新刊データが配信され、マガジン型表示装置１からそれらの書籍情報の一部をスクラップする感覚で、手帳型表示装置２やモバイル表示装置３にコピーや移動を行えるようにしている。その際、データのコピーや移動は電子ペンを経由して行われる。ユーザーは電子ペンを用いることにより、各表示装置の間で自由に情報をコピーしたり、移動したりすることができる。
＜電子ペン＞
図２に示すように、実施例１の電子ペン４は、ユーザーによって把持される把持部４１を含む筐体を有している。筐体は、頂部４０と、表示部と、ユーザーによって操作される操作部４２と、を備えている。操作部４２は、コピー等の動作実行を指示するための実行キー４２１と、動作の取り消しを指示するための取り消しキー４２３とを含む。表示部は、電子ペン内に画像データを取り込む際の、又は、電子ペン内の画像データを転送する際の、データ転送の進行状況や電子ペン内の画像データの蓄積状況を示すための第１表示部４３と、データ取り込みからデータ貼り付けまでのどの段階にあるかを示すための第２表示部４４とを含む。
【００１４】
第１表示部４３は、図２に示すように、電子ペン４内に画像データを記憶していないときは空（エンプティ）の表示をし（図２（ａ））、電子ペン４内に画像データを記憶しているときは満（フル）の表示をする（図２（ｃ））。また、画像データを取り込んでいる最中は図２（ｂ）に示すように徐々にエンプティからフルに近づいていくように動的に表示を行う。画像データを読み出している最中は、逆にフルからエンプティに近づくように動的に表示を行う。
【００１５】
第２表示部４４は、取り込もうとする画像領域が確定した時点、データの取り込みが完了した時点など、動作がどの段階まで進んでいるかを示すためのものであり、ユーザーが取り消しキー４２３を用いて動作を取り消す際の目安に用いることができる。第１表示部４３、第２表示部４４は、ＬＥＤ、ＬＣＤなどの表示素子によって構成される。
【００１６】
図４に示すように、表示装置上のコピーしたい情報を囲み、囲んだ領域の一部で操作部４２を操作することによりデータを電子ペン４に画像データを取り込み始める。それに合わせて、電子ペン４の第１表示部４３の表示が徐々にエンプティからフルに向かって変化していき、画像データの取り込みが完了したときに第１表示部４３がフルを表示する（図４（ａ））。
【００１７】
電子ペン４に記憶したデータは、後述するように、他の表示装置に貼り付けることができる。この場合、貼り付けを指示したときから電子ペンの第１表示部４３の表示が徐々フルからエンプティに向かって変化していき、貼り付けを完了した時点でエンプティを表示する（図４（ｂ））。
【００１８】
第２表示部は、図４に示すように、電子ペンによる囲みが完了した時点、電子ペンへのデータ取り込みが完了した時点、画像データ貼り付け位置が確定した時点、そして、画像データの貼り付けが完了した時点でそれぞれ点灯し、一連の動作がどの段階にあるのかを示す。
【００１９】
このように、表示装置の画面に表示されている画像を取り込むことができる電子ペンに、データの取り込み・吐き出しを視覚化する表示部を設けることで、ユーザーがデータの取り込みや吐き出しを把握でき、これらの動作を確実に実行することができる。
【００２０】
電子ペンの回路ブロックは、図３に示すように、上述した第１表示部４３及び第２表示部４４、ユーザーからの操作指示を受けるための実行キー４２１及び取り消しキー４２３を含む操作部４２に加えて、外部表示装置との通信を行うための無線インターフェース、使用者からの指示に応じた制御を行うためのプログラムを格納するＦｌａｓｈＲＯＭ、プログラム稼動時の作業用データや通信時の画像データを格納するためのＳＤＲＡＭ、全体制御を行う中央演算処理装置（ＣＰＵ）、から構成されている。
＜マガジン型表示装置１＞
図５はマガジン型表示装置１の外観と各表示シート１１の部分的な断面図である。図５に示すように、メモリ性を有する可撓性の表示シート１１を複数枚綴じたタイプの表示装置である。各表示シート１１は薄くフレキシブルであり、本のように捲ることができる。各表示シート１１は表裏に表示層を有しており両面表示可能なものである。綴じ部１２には、駆動回路が内蔵されており、各表示シート１１の表示内容は駆動回路によって書き換えられる。綴じ部１２には、電子ペン４の指す座標位置を認識するための位置認識機構（タッチパネル）と、電子ペン４と通信を行うための無線通信モジュールも設けられている。
【００２１】
図５では、一例として、各表示シート１１を、一対の透明電極１３５付樹脂基板１３０間に表示媒体１３６を狭持してなる表示パネルを表裏に貼り付けた構成のフレキシブルな表示パネルで構成した例を示している。図５の部分拡大断面図に示すように、各表示パネルは、球状スペーサ１３１と柱状の接着体１３２と配向膜１３３を設けたものとし、接着層１３４を介して２つ貼り合せた構成としている。
＜手帳型表示装置＞
図６は手帳型表示装置２の外観図である。手帳型表示装置２はマガジン型表示装置１よりも小型であり、図６に示すように、システム手帳のような外観を有する表示装置である。表示パネル２１はメモリ性を有するものであり、図５で説明したのと同様のものを用いることができる。カバーを開くと片面に表示パネル２１がバインダ部２２で固定されており、もう一方の面には電子ペン４を収容するためのホルダ２３と、操作キー２４が設けられている。表示パネル２１にはタッチパネルが設置されている。バインダ部２２内には電子ペン４と通信を行うための無線通信回路が設けられている。
＜モバイル表示装置＞
図７は、モバイル表示装置３の外観図である。モバイル表示装置３は手帳型表示装置２よりも小型であり、図７に示すように、表示パネル３１を引き出すことのできる小型電子機器である。筐体３０外形の一部がスライドできるようになっており（スライド部３２）、スライド部の滑り止め部３３に指を当ててスライドさせて表示パネル３１を引き出すことで、筐体３０より大きなサイズの画面を実現することができる。引き出し型の表示パネルはメモリ性を有するフレキシブルなものである。表示パネル３１は、筐体３０内の回転軸に一端が固定されており、収容状態では回転軸に巻き取られている。回転軸は表示パネル３１を引き出すのとは反対側に回転するように付勢されている。ユーザーが表示パネル３１の他端側を引っ張ることで表示パネル３１が引き出されるが、この他端側を離すことで、表示パネル３１は筐体３０内に収容される。本表示装置３においても電子ペン４の位置認識機構と、電子ペン４と通信を行う無線通信回路とが設けられている。また、時間等の付加的な情報を表示するための表示部３４が筐体３０に設けられている。
＜各表示装置の回路ブロック＞
図８は各表示装置の回路ブロック図である。図８に示すように、各表示装置は、画像データを表示するための表示パネル、表示パネルを制御するためのコントローラ、表示パネルに表示される画像データを格納するための表示パネル用ＳＤＲＡＭ、電子ペンの入力を感圧方式、静電容量方式、電磁誘導方式、超音波方式等の方式により検出する透明なタッチパネルセンサ、タッチパネルコントローラ、電子ペンとの通信を行うための無線インターフェース、表示装置の全体の制御を行うためのプログラムを格納するＦｌａｓｈＲＯＭ、プログラム稼動時の作業用データを格納するＳＤＲＡＭ、制御を行う中央演算処理装置（ＣＰＵ）、使用者からの操作指示を受けるための操作部から構成されている
＜コピー動作＞
図９はコピー動作（電子ペンへの吸い取り）の説明図であり、図１０はコピー動作（電子ペンからの吐き出し）の説明図である。
【００２２】
図９に示すように、コピー元となる表示装置１に表示される所望の画像部分を電子ペン４で囲む（図９（ａ））。囲み終わると表示装置に枠Ａを表示する（図９（ｂ））。ユーザーはフリーハンドであるので、表示装置１側で自動的に適当な直線に近似して枠を表示する。例えば、ユーザーの囲みがでこぼこしている場合は外側を基準にして直線に直した枠を表示し、斜めに囲まれたときは画像データが欠落しない範囲で折れ曲がりを含む枠を表示する。
【００２３】
囲み領域内に電子ペン４でタッチすることで（あるいは、囲み領域内を電子ペン４でタッチした状態で操作部４２を操作することで）、囲み領域内の画像データを電子ペン４に転送する（図９（ｃ））。このとき、データが電子ペン４に吸い上げられていることを示すために、電子ペン４の表示部に目盛りが徐々に増えるような表示を行う（図９（ｄ））。
【００２４】
電子ペン４へのデータ転送が済んだら、電子ペン４の表示部４３にフルの表示を行う。また、表示装置の囲み領域を低コントラスト状態に書き換える（図９（ｅ））。
【００２５】
こうして、データを記憶した電子ペン４で、データを貼り付けるべく別の表示装置２にタッチする（図１０（ａ））。
【００２６】
そして、操作部４２を操作することでコピー先の表示装置２にデータを転送する。このとき、電子ペン４の表示部４３には目盛りが徐々に減るように表示がなされる（図１０（ｂ））。
【００２７】
表示装置２へのデータ転送が完了したら、電子ペン４の表示部４２にはエンプティが表示される。また、転送したデータが貼り付けられた状態で画面が更新される（図１０（ｃ））。
＜画像貼り付け位置＞
電子ペン４に取り込んだ画像を表示装置２に貼り付けるに当たっては、貼り付け先の表示装置２の任意の位置に電子ペン４のペン先を接触させて貼り付け位置を指定する。本例では、電子ペン４を接触した位置が中心（重心位置）となるように、貼り付け先に枠線Ｂを表示する。枠線は電子ペンに取り込んだ画像データの大きさに対応している（図１１（ａ）参照）。
【００２８】
貼り付け先表示装置２の画面において、画像の一部が表示装置２からはみ出してしまうような位置が指定された場合は、表示装置２に画像が収まるように枠Ｂをずらして表示する（図１１（ｂ））。図１１（ｂ）において、点線は理解を容易にするために示した仮想的なラインであり、ペン先を中心としたときの画像の輪郭を示している。
【００２９】
なお、ペン先の接触位置を中心にして貼り付け位置を決めるのに代えて、接触位置を切り出し領域の四隅のいずれかに一致させるようにしてもよい。ユーザーの好みに応じた操作方法となるように、重心と四隅のどちらかを選択できるようにしても構わない。
【００３０】
本例では、選択された領域を枠線で表示しているので、その領域をユーザーが確実に把握でき、コピーの動作に間違いが生じにくい。しかし、囲んだ領域を明示しない方式をとることも可能である。この場合、枠線の表示を行う必要がないので表示装置への描画回数が減り、消費電力を低減することができる。また、第２表示部４４の表示により対象領域が特定されたことを確認することもできる。表示装置２又は電子ペン４から効果音を発生するようにして、領域確定をユーザーに間接的に把握させるようにしてもよい。
【００３１】
本例では、画像データを貼り付けた後、ペン先を当てたまま動かしたいところへ動かすことにより、画像データのドラッグを行う。ただし、本例では貼り付け先表示装置２がメモリ性であり、リアルタイムで画像の移動を行うことは難しいため、移動の目的位置まで来たときにペンを離した後、一定時間経過してから描画を行うようにすればよい。数分の１秒〜数秒毎に、短い時間で部分書き換えを行い、移動が停止してから最終的に画面全体を再描画するようにしてもよい。
＜自動サイズ調整＞
貼り付け先表示装置２の画面サイズによっては、コピー元の画像サイズのままでは画面からはみ出す恐れがあるので、本例では自動的に貼り付け画像のサイズ調整を行うようにしている。具体的には、図１２に示すように、貼り付け先の表示装置３のサイズに応じた大きさで貼り付け領域を囲むと、その囲み領域Ｃのサイズとコピー元の画像サイズとから演算を行って自動的にサイズを変換し、囲み領域に収まるように画像データを作成し、その作成された新たなデータで描画が実行されるようにする。
【００３２】
表示装置の表示パネルのサイズ、解像度とも送信元の表示パネルよりも十分に大きいと判断した場合には、拡大表示がなされる。
【００３３】
貼り付け先の囲み領域Ｃの縦横比が、切り出し画像の縦横比と一致しない場合は、ユーザーの好みによって、縦・横のいずれかに統一して縮小するかはみ出す部分はカットするようにしてもよいし、縦横比を変換して、画像データ自体を変形させてもよい。
＜アンドゥ機能＞
図１３及び図１４は、アンドゥ機能の説明図である。図１３、図１４に示すように、画像データを電子ペン４に記憶させたり、電子ペン４から表示装置２に画像データを貼り付けたりした後に、動作を取り消したくなる状況が存在し得るため、本例においては、電子ペン４を含む表示システムにアンドゥ機能を持たせている。
【００３４】
データの貼り付けが完了した時点（図１３（ａ））で、貼り付けをキャンセルしたい場合は、取り消しキーを操作することで貼り付けたデータが再度電子ペンに取り込まれ、貼り付け位置を示す枠線Ｄを表示し、データを貼り付ける前の段階に戻る（図１３（ｂ））。この段階で電子ペン４を表示装置２に接触させることで枠線Ｄをドラッグすることができ（図１３（ｃ））、必要なら枠線Ｄの位置を変更した後で再度電子ペン４から画像データを送り画像を貼り付けることも可能である。図１３（ｂ）又は図１３（ｃ）の状態から、電子ペン４の取り消しキーを操作することで、さらに前の状態、すなわち、貼り付け位置を決めるまえの状態まで戻ることができる。
【００３５】
また、図１４（ａ）に示すように、コピー元の表示装置１からのデータの吸い上げが完了した段階において、電子ペンをコピー元の表示装置１に近づけて取り消しキーを操作することで、コピーされていた画像が元の表示に戻り、また、切り出し対象領域を示す枠線Ｅが表示され、コピーすべき画像領域を確定した状態に戻る（図１４（ｂ））。さらに、電子ペン４の取り消しキーを操作することにより、コピーすべき領域を決める前の状態に戻る。
【００３６】
次に、貼り付け動作の他の例として、貼り付け先囲みサイズによる拡大・縮小の例を説明する。図１５は貼り付け動作の他の例を示す説明図である。図１５に示すように、貼り付け先の表示装置２上で、電子ペン４を用いて貼り付け対象領域Ｆを囲む動作を行い、囲み動作を行った位置で、そのサイズにあうようにデータを貼り付けるようにしてもよい。このようにすれば、貼り付け先で画像が表示装置からはみ出してしまうことが発生しにくくなり、また、囲みサイズを適宜変更することにより、ユーザーの意図に合ったサイズで画像の貼り付けを行うことができる。
＜コピー動作フローチャート＞
本表示システムにて、電子ペン４を用いてデータのスクラップを行う際の、電子ペン４、コピー元表示装置、及び、コピー先表示装置がそれぞれ実行するフローチャートを説明する。
【００３７】
図１６は、電子ペンにデータを取り込む際に、コピー元である表示デバイスと電子ペン４が実行する処理の流れ（Ｓ１〜Ｓ２１）と、ユーザーの操作の流れ（Ｓ５１〜Ｓ５３）を示している。表示デバイスで表示されている画像の切り出しを行うために、ユーザーが電子ペン４をコピー元の表示装置のタッチパネルに接触させると、タッチパネルコントローラで電子ペン４の操作を検出してＣＰＵへ割り込み通知を行うことで起動をかけ、コピー元の表示デバイスを起床させる。次に、電子ペン４との間で無線通信を確立し、相互に認証を行う。そして、ユーザーが、コピー領域を指定するための囲み動作を開始するべく、実行キーを押すことで、電子ペン４からコマンドが送信される。表示デバイスが電子ペン４からのコマンドを受信し、受信したコマンドの解析を行ってその指示内容を認識すると、表示装置のＣＰＵは、電子ペン４の位置を示す座標データの読み込みを開始する。
【００３８】
ユーザーが電子ペン４で表示デバイスをなぞり、切り取り対象領域を枠で囲む間、電子ペンの位置情報を表示デバイスがモニタし、得られた位置情報に基づいて適宜のタイミングで（例えば、枠線が所定の長さに達する度に）表示デバイスを駆動して枠線の描画を行う。ここで、表示デバイスがメモリ性を有するものであることを鑑みて、１／３０毎というような実質的にリアルタイムでの描画ではなく、数分の１秒〜数秒に１回程度の間隔で描画を実行し、メモリ性表示デバイスの特性を尊重しつつ、対象領域が徐々に特定されつつあることをユーザーに知らしめている。
【００３９】
電子ペン４の位置情報に基づいて、表示デバイスが電子ペン４による対象領域の囲みが終了したことを判断すると、電子ペン４に対して囲み完了の通知を行う。電子ペン４は表示デバイスから囲み完了の通知を受信することで、次に行われる、電子ペン４によるデータ吸い取りを許可する。なお、囲み完了のコマンドを受信した段階で、電子ペン４に発光表示を行わせたり、アラーム音を発生させたり、振動を発生させたりするようにしてもよい。このようにすれば、ユーザーに対しても確実に囲み完了を知らせることができる。
【００４０】
囲みが完了した後、表示デバイスは電子ペン４の移動軌跡に基づいて演算を行うことで、囲み領域の座標データを特定し、メモリの特定領域にこの情報を格納する。
【００４１】
次に、ユーザーが電子ペン４の吸い取りボタンを押すことで、電子ペン４からデータ吸い取りのコマンドが発せられ、表示デバイスがこのコマンドを受信すると、先ほど格納した座標データに対応する領域の画像情報をＳＤＲＡＭから読み出し、新たな画像データとしてＳＤＲＡＭに一時的に格納する。この後、確実にデータを送受信するために、表示デバイスと電子ペン４との間で通信状態を再確認する。具体的には、表示デバイスから画像データ送信の可否を電子ペン４に問い合わせ、電子ペン４のステータス情報が電子ペン４への画像データの送信可を示していれば、通信状態が確保できているものと判断して、表示デバイスから電子ペン４へのデータ送信を開始する。
【００４２】
一方、電子ペン４は送信されてくる全データに対する現在の受信量の割合に応じて、表示部の表示を逐次更新する。これにより、データ受信が進行するにつれてデータが電子ペン４に蓄積されているように表示が行われ、ユーザーはデータの吸い取りを実感することができる。
【００４３】
なお、囲み領域が確定した時点で、囲み領域内の一点に電子ペン４を接触させることで実行キーを押すことなく、画像データの取り込みを開始させることも可能である。
【００４４】
画像データの送受信を行っている間に、通信エラーが発生しないかどうかをチェックする。例えば、ステータス情報が電子ペンへの送信不可能な場合は、スリープ状態に入る。その際、警告音を発生したり、エラーが発生したことを表示するなどしてもよい。
【００４５】
データを送信し終わったら表示デバイスから送信が完了した旨の通知を行う。完了通知を受けた後に電子ペン４は全てのデータを受信し終わったことを示す表示を行う（ここでは、４灯目のＬＥＤを点灯する）。一方、表示デバイス側は、切り出し領域の画像データに対して、反転処理やコントラスト低減処理などを行った上で、切り出し領域に描画を行い、表示内容を更新する。一連の動作が完了した後、表示デバイスは再度スリープ状態に入る。
【００４６】
図１７は、電子ペン４からデータを貼り付ける際に、電子ペン及び貼り付け先である表示デバイスが実行する処理の流れ（Ｓ３１〜Ｓ５０）と、ユーザーの操作の流れ（Ｓ６１〜Ｓ６４）を示している。なお、ここでは、貼り付け先での自動サイズ調整を行うものとして説明する。
【００４７】
ユーザーが電子ペン４を表示装置のタッチパネルに接触させることにより、スリープ状態にあった貼り付け先の表示装置を起床させる。次に、電子ペン４との間で無線通信を確立し、相互に認証を行う。そして、ユーザーが、貼り付け先の領域を指定するための囲み動作を開始するべく、開始ボタンを押すことで、電子ペン４からコマンドが送信される。表示デバイスがコマンドを受信し、受信したコマンドの解析を行ってその指示内容を認識すると、表示デバイスのＣＰＵは、電子ペンの位置を示す座標データの読み込みを開始する。
【００４８】
ユーザーが電子ペン４で表示デバイスをなぞり、貼り付け対象領域を枠で囲む間、電子ペン４の位置情報を表示デバイスがモニタし、得られた位置情報に基づいて適宜のタイミングで（例えば、枠線が所定の長さに達する度に）表示デバイスを駆動して枠線の描画を行う。
【００４９】
電子ペン４の位置情報に基づいて、表示デバイスが電子ペン４による対象領域の囲みが終了したことを判断すると、電子ペン４に対して囲み完了の通知を行う。電子ペン４は表示デバイスから囲み完了の通知を受信することで、次に行われる、電子ペン４によるデータ吐き出しを許可する。なお、囲み完了のコマンドを受信した段階で、電子ペンに発光表示を行わせたり、アラーム音を発生させたり、振動を発生させたりするようにしてもよい。
【００５０】
囲みが完了した後、表示デバイスは電子ペン４の移動軌跡に基づいて演算を行うことで、囲み領域の座標データを特定し、メモリの特定領域にこの情報を格納する。
【００５１】
次に、ユーザーが電子ペン４の吸い取りボタンを押すことで、電子ペン４から吐き出しのコマンドが発せられ、表示デバイスがこのコマンドを受信すると、先ほど格納した座標データに対応する領域の画像情報を表示パネル用ＳＤＲＡＭから読み出し、新たな画像データとしてＳＤＲＡＭに一時的に格納する。この後、確実にデータを送受信するために、表示デバイスと電子ペン４との間で通信状態を再確認する。具体的には、電子ペン４から画像データ送信の可否を表示デバイスに問い合わせ、表示デバイスのステータス情報が電子ペンからの画像データの受信可を示していれば、通信状態が確保できているものと判断して、電子ペン４から表示デバイスへのデータ送信を開始する。その際、送ろうとする電子データのデータ量を初めに表示デバイスに送信しておく。
【００５２】
一方、電子ペン４は送信すべき全データに対する現在の送信量の割合に応じて、表示部の表示を逐次更新する。これにより、データ受信が進行するにつれてデータが電子ペン４から減少していくように表示が行われ、ユーザーはデータの吐き出しを実感することができる。
【００５３】
このように、電子ペーパであるが故に、枠の表示などはリアルタイムで実行することが難しい。また、メモリ性を活かすために、普段はスリープして省電力を図っているが故に、すぐに起動できずデータの吸い上げが不調となることがある。このような観点から、電子ペン４にデータの移動状況を視認できるような表示を行うことが非常に有益である。
〔実施例２〕
本発明の実施例２は、実施例１の電子ペン４に変えてスポイト型の形状をした電子ペンとしたものである。
＜電子ペン＞
本実施例の電子ペンはスポイトを模した形状としており、あたかもスポイトで液体を吸い取り、吐き出す動作を行うかのごとく、画像データの吸い込みと吐き出しを行うものである。具体的には、図１８、図１９に示すように、この電子ペン５は、ユーザーによって把持されスポイトのツマミ部分を模した頭部５１と、先端が細くなっておりスポイトの管部分を模した棒状部５２とを備えている。頭部５１には、ユーザーによって操作される弾性押圧部５２と、データのストック先を選択する際に用いられるダイヤル部５３とが設けられている。管部には線状表示部５４が設けられ、また、頭部５１の根元部分には複数のリング状表示部５５が設けられている。各表示部は複数のＬＥＤを並べて構成されている。
【００５４】
本実施例の電子ペンは、頭部５１の弾性押圧部５２を摘まむ動作により画像データの取り込みや吐き出しが実行され、この動作に合わせて線状表示部５４の表示がリアルタイムに変化する。図１９に示すように、コピー元の表示装置からデータを取り込むときは線状表示部５４先端のＬＥＤから徐々に点灯していき、貼り付け先の表示装置へデータを貼り付けるときは線状表示部５４の頭部５１根元側のＬＥＤから徐々に消灯していく。すなわち、液体を吸い取ったり吐き出したりするかのように画像データの吸い取りと吐き出しを行うことができる。このようにスポイトの形状を採用し、スポイトの動作に似せて画像データの転送を行うことで、ユーザーが直感的に電子ペン５の操作を理解できる。
【００５５】
本実施例の電子ペン５には、画像データを記憶するための複数の記憶エリアを有している。リング状表示部５５は、画像データがいくつストックされているかを示すためのものであり、複数の表示体を備えている。リング状表示部５５の点灯状況により、ユーザーはいくつのデータが電子ペン５にストックされているかを知ることができる。
【００５６】
ダイヤル部５３には、吸い込みと吐き出しを切り替えるための第１ダイヤル５６と、記憶エリアの番号を指定するための第２ダイヤル５７とを備えている。第２ダイヤル５７には、記憶エリアを示す「１」、「２」、「３」などの番号と、全ての記憶エリアを選択するための「ＡＬＬ」、各記憶エリアを順次選択する「ＳＱＥ」の記号が含まれる。
【００５７】
図２０は、第１ダイヤル５６部の拡大図であり、ユーザーがダイヤルを操作することで画像データの取り込み、吐き出し及び削除を切り替えられるようになっている。第１ダイヤル５６が「▼」のときは第２ダイヤル５７で指定された番号の記憶エリアに画像データがない場合は画像データの取り込みを、画像データがある場合は画像データの吐き出しが指定される。第１ダイヤル５６が「▲」のときは第２ダイヤル５７で指定された番号の記憶エリアからの画像データ消去が指定される。
【００５８】
なお、第１ダイヤル５６が「▼」のときに第２ダイヤル５７で「ＳＱＥ」が指定されているときは、記憶エリアに画像データがない場合は各記憶エリアに順に画像データを取り込むことが指定され、記憶エリアに既に画像データがある場合は、各記憶エリアから順に画像データが読み出される。
【００５９】
なお、マガジン状表示装置１等のコピー元の表示装置の１ページの画面全体を電子ペン５に一括で吸い取るようにしてもよい。例えば、第１ダイヤル５６を「▼」、第２ダイヤル５７を「ＡＬＬ」に合わせた上で、囲み動作などを何も行うことなく、表示装置の適当な位置にペン先を置いて頭部５１の弾性押圧部５２を押すことでページ全体の画像を電子ペン５に取り込む。
＜電子ペンの表示部の表示＞
電子ペン５への画像データ取り込み時には、図２１（ａ）の（１）〜（３）に示すように、点滅部分がペン先端から徐々に頭部５１へと移動し、先端点滅部に続いて常灯部が尾を引くように表示される。先端点滅部が頭部５１根元に到達すると、図２１（ｃ）に示すように、頭部５１のリング状表示部に輪を描くように表示がなされる。点滅部がリング状表示部を一周すると、リング状表示部５５から点滅部はなくなって常灯部のみとなる。その後、図２１（ａ）の（４）〜（６）に示すように、線状表示部５４においては常灯部が頭部５１へ吸い込まれていくように表示がなされ、最終的に画像データの取り込みが完了すると線状表示部５４の表示は消灯し、リング状表示部５５のみが常灯する。
【００６０】
データ吐き出し時には、図２１（ｂ）の（１）〜（３）に示すように、線状表示部５４の頭部５１根元側から点滅部が徐々にペン先へと移動してゆく。先端点滅部に続いて常灯部が尾を引くように表示される。先端点滅部がペン先に到達すると、点滅部はなくなり常灯部のみとなり、常灯部後端は図２１（ｃ）とは逆の順序で表示がなされてゆき、常灯部後端はリング状表示部５５から線状表示部５４へと移動し、最終的に画像データの吐出しが完了すると発光しているところがなくなる。
【００６１】
なお、通信エラーが発生したことを表示するために、電子ペン５のリング状表示部５５に通常とは別の目立つ色（赤色等）で数秒点灯させるようにしてもよい。
＜電子ペンのデータ消去＞
第１ダイヤル５６を「▲」に、第２ダイヤル５７を消去したい画像データを記憶している記憶エリアの番号にセットし、表示装置から離れた位置で、弾性押圧部を押圧することでデータを消去することができる。また、第１ダイヤル５６が「▲」のときに第２ダイヤル５７で「ＡＬＬ」が指定されているときは、全ての記憶エリアから画像データを一括して消去することが指定される。第１ダイヤル５６が「▲」のときに第２ダイヤル５７で「ＳＥＱ」が指定されているときは、弾性押圧部５２を押圧する度に各記憶エリアから順に画像データが消去される。
＜画像データ貼り付け＞
本例では、複数の画像データを電子ペン５に取り込むことができるようになっているため、電子ペン５に取り込まれた複数画像を貼り付ける際、各画像を順番に指定された位置に貼り付ける以外にも、それらを一定の規則の下で一括して貼り付けることもできる。例えば、各記憶エリアに画像データを取り込んだ上で、第１ダイヤル５６を「▼」、第２ダイヤル５７を「ＡＬＬ」に合わせ、貼り付け先の表示装置の所望の位置にペン先を置いて頭部５１の弾性押圧部５２を押した場合に、（１）それらの画像データがコピー元の表示装置の同じページに表示されていたものであれば、そのページにおける位置関係を保ったままで貼り付ける、（２）位置関係を完全に保つと貼り付け時に画像がはみ出す場合、垂直位置または水平位置の一方のみを維持したまま、はみ出す分だけをはみ出さないように位置補正する、（３）複数データを整列して貼り付ける、などの態様をとることができる。
〔実施例３〕
実施例３は、実施例２の電子ペン５のデータストック表示エリアの形態を変更したものである。
＜電子ペンの構成＞
図２２に示すように、本例の電子ペン５は、データストックを示す表示部５８をリング状ではなく、複数のドット状表示としたものである。本例におけるデータ取り込み時の表示部の表示態様は、図２１で説明したのと同様に点滅部の移動とそれに続く常灯表示とが行われるが、常灯部には後端がなく点滅部が頭部５１根元に到達した後も線状表示部５２は常灯を継続する。頭部５１のドット状表示部５８は、点滅部が頭部５１根元に到達すると点滅し始め、画像データの取り込みが完了するときまで点滅を続け、その後、常灯となる（図２３（ａ）参照）。一方、本例における画像データ吐き出し時の表示部の表示態様は、ほぼ図２１で説明したものと同様であるが、画像データの吐き出しが完了するまで、ドット状表示部５８の点滅が継続する点が異なる。
【００６２】
このように、実施例２ではデータがペン先端から頭部へと吸い込まれていくように表示させていたのに対して、本例では、よりスポイトに近い表示とし、電子ペン５の形状に合った表示としている。
〔実施例４〕
次に実施例４として、表示デバイスが電子ペーパでない例を示す。図２４に示すように、プラズマＴＶ、ＴＦＴ液晶モニタ、有機ＥＬパネルなど、メモリ性がなくリフレッシュ駆動しているような表示装置６が、画像データの取り込み対象や貼り付け対象である場合は、これらの表示装置６に液体の流れを示すような動的な表示を行うことにより、より視覚的に画像データの取り込みや吐き出しを表現することができる。図２４（ａ）には、画像データが取り込まれていることを示す渦巻き状の表示を表示装置に行う例を示し、図２４（ｂ）には、電子ペン５から画像データが吐き出されていることを示す、液体がこぼれて広がっていくような表示を別の表示装置７に行う例を示している。
【図面の簡単な説明】
【００６３】
【図１】電子ペンとこれを用いた表示システムの実施例１を示す図である。
【図２】実施例１の電子ペンの外観図である。
【図３】電子ペンの回路ブロック図である。
【図４】電子ペンの基本動作の説明図である。
【図５】マガジン型表示装置１の外観図及び部分拡大断面図である。
【図６】手帳型表示装置の外観図である。
【図７】モバイル表示装置の外観図である。
【図８】各表示装置の回路ブロック図である。
【図９】コピー動作（電子ペンへの取り込み）の説明図である。
【図１０】コピー動作（電子ペンからの吐き出し）の説明図である。
【図１１】貼り付け位置の説明図である。
【図１２】自動サイズ調整機能の説明図である。
【図１３】アンドゥ機能の説明図である。
【図１４】アンドゥ機能の説明図である。
【図１５】貼り付け動作の他の例を示す説明図である。
【図１６】電子ペンに画像データを取り込む際に、コピー元の表示装置及び電子ペンが実行するフローチャートである。
【図１７】電子ペンで表示装置に画像を貼り付ける際に、電子ペン及び貼り付け先表示装置が実行するフローチャートである。
【図１８】電子ペンの実施例２の外観図である。
【図１９】電子ペンの表示の様子を示す図である。
【図２０】電子ペンのダイヤル部の拡大図である。
【図２１】電子ペンの表示態様を示す図である。
【図２２】電子ペンの実施例３の表示部を示す模式図である。
【図２３】実施例３での表示部の表示例の説明図である。
【図２４】本発明の実施例４における表示装置の表示の様子を示す説明図である。
【符号の説明】
【００６４】
１  マガジン型表示装置
２  手帳型表示装置
３  モバイル表示装置
４  電子ペン
４１  把持部
４２  操作部
４３  第１表示部
４４  第２表示部
１１  表示シート
１２  綴じ部
１３  表示層
１３０  樹脂基板
１３１  球状スペーサ
１３２  接着体
１３３  配硬膜
１３４  接着層
１３６  表示媒体
２１  表示パネル
２２  バインダ部
２３  ホルダ
２４  操作キー
３０  筐体
３１  表示パネル
３２  スライド部
３３  滑り止め部
３４  表示部
５  電子ペン
５１  頭部
５２  棒状部
５３  弾性押圧部
５４  ダイヤル部
５５  線状表示部
５６  リング状表示部
５７  第１ダイヤル
５８  第２ダイヤル
【図１】
2007299134.tif 000003
【図２】
2007299134.tif 000004
【図３】
2007299134.tif 000005
【図４】
2007299134.tif 000006
【図５】
2007299134.tif 000007
【図６】
2007299134.tif 000008
【図７】
2007299134.tif 000009
【図８】
2007299134.tif 000010
【図９】
2007299134.tif 000011
【図１０】
2007299134.tif 000012
【図１１】
2007299134.tif 000013
【図１２】
2007299134.tif 000014
【図１３】
2007299134.tif 000015
【図１４】
2007299134.tif 000016
【図１５】
2007299134.tif 000017
【図１６】
2007299134.tif 000018
【図１７】
2007299134.tif 000019
【図１８】
2007299134.tif 000020
【図１９】
2007299134.tif 000021
【図２０】
2007299134.tif 000022
【図２１】
2007299134.tif 000023
【図２２】
2007299134.tif 000024
【図２３】
2007299134.tif 000025
【図２４】
2007299134.tif 000026